(57)【要約】【課題】  締結部材が所定の位置で維持されるよう締結部材の安定性を高める能力を有するブラケット装置を提供すること。【解決手段】  ブラケット装置はブラケット及び締結部材を含む。締結部材はシャフト部材によってブラケットに枢結される。ブラケットは第１の構造を含み、締結部材は第２の構造を含む。締結部材が所定の位置に位置している場合、第１の構造は第２の構造と協働して締結部材がシャフト部材の軸方向に沿って動くのを防止する。【選択図】  図４
2019037747.tif 000002
【特許請求の範囲】
【請求項１】
スライドレールをラックに取り付けるように適合されたブラケット装置であって、当該ブラケット装置は、
前記スライドレールに連結されるとともに前記スライドレールを前記ラックに取り付けるように構成されたブラケットと、
シャフト部材によって前記ブラケットに枢結されるとともに前記ラックをロック位置でロックするように構成された締結部材と、
を含み、
前記ブラケットは少なくとも１つの突出ラグを含み、該少なくとも１つの突出ラグはガイド部を有し、該ガイド部は前記スライドレールの長さ方向と同一の方向に延在し、前記締結部材は前記ガイド部の一部を通って配置される前記シャフト部材によって前記ガイド部に取り付けられ、
前記ブラケットは第１の構造を含み、前記締結部材は第２の構造を含み、
前記締結部材が前記ロック位置に位置している場合、前記第２の構造は前記第１の構造と協働して前記締結部材が前記シャフト部材の軸方向に沿って動くのを防止するように構成されている、ブラケット装置。
【請求項２】
前記締結部材に弾性力を提供するように構成された弾性部材をさらに含み、
前記締結部材は係合部を含み、該係合部は前記スライドレールに取り付けられる保持物体と係合するように構成され、
前記ブラケットは側壁、該側壁に隣接する端壁及び該端壁に配置される少なくとも１つの取り付け部材を含み、前記少なくとも１つの取り付け部材は前記ラックに取り付けられるように構成され、
前記少なくとも１つの突出ラグは前記側壁に配置され、前記ガイド部は細長いスロットである、請求項１に記載のブラケット装置。
【請求項３】
側壁及び該側壁に隣接する少なくとも１つの取り付け部材を含むブラケットと、
シャフト部材によって前記ブラケットに枢結される締結部材であって、該締結部材が所定の位置に位置している場合、該締結部材の締結部は前記少なくとも１つの取り付け部材に隣接し、前記締結部材が前記所定の位置に位置していない場合、前記締結部材の締結部は前記少なくとも１つの取り付け部材から離れている、締結部材と、
を含むブラケット装置であって、
前記ブラケットは第１の構造を含み、前記締結部材は第２の構造を含み、
前記締結部材が前記所定の位置に位置している場合、前記第２の構造は前記第１の構造と協働して前記締結部材が前記シャフト部材の軸方向に沿って動くのを防止するように構成されている、ブラケット装置。
【請求項４】
前記ブラケットは少なくとも１つの突出ラグ及び端壁をさらに含み、
前記少なくとも１つの突出ラグはガイド部を含み、該ガイド部は前記側壁の長さ方向と同一方向に延在し、
前記締結部材は、前記ガイド部の一部を通って配置される前記シャフト部材によって前記ガイド部に取り付けられ、
前記ガイド部は細長いスロットであり、前記端壁は前記側壁に実質的に垂直に接続され、前記少なくとも１つの取り付け部材は前記端壁に配置され、
前記ブラケット装置は弾性部材をさらに含み、該弾性部材は前記締結部材に弾性力を提供するように構成されている、請求項３に記載のブラケット装置。
【請求項５】
前記第１の構造は２つの突出部を含み、前記第２の構造は該２つの突出部の間に配置される、請求項３に記載のブラケット装置。
【請求項６】
前記第１の構造及び前記第２の構造のうちの一方は突出部であり、前記第１の構造及び前記第２の構造のうちの他方は孔又は凹部である、請求項３に記載のブラケット装置。
【請求項７】
ブラケットと、
シャフト部材によって前記ブラケットに枢結される締結部材と、
を含むブラケット装置であって、
前記ブラケットは第１の構造を含み、前記締結部材は第２の構造を含み、
前記締結部材がロック位置に位置している場合、前記第２の構造は前記第１の構造と協働して前記締結部材が前記ブラケットに対して傾斜するのを防止する、ブラケット装置。
【請求項８】
前記ブラケットは側壁、少なくとも１つの取り付け部材及び少なくとも１つの突出ラグを含み、前記少なくとも１つの取り付け部材は該側壁に隣接し、
前記少なくとも１つの突出ラグはガイド部を含み、該ガイド部は前記側壁の長さ方向と同一方向に延在し、
前記締結部材は前記ガイド部の一部を通って配置される前記シャフト部材によって前記ガイド部に取り付けられ、前記ガイド部は細長いスロットであり、
前記ブラケット装置は弾性部材をさらに含み、該弾性部材は前記締結部材に弾性力を提供するように構成され、
前記締結部材は係合部を含み、該係合部は対象物体と係合するように構成され、
前記ブラケットは端壁をさらに含み、該端壁は前記側壁に接続され、前記少なくとも１つの取り付け部材は該端壁に配置される、請求項７に記載のブラケット装置。
【請求項９】
前記第１の構造は２つの突出部を含み、前記第２の構造は該２つの突出部の間に配置される、請求項７に記載のブラケット装置。
【請求項１０】
前記第１の構造及び前記第２の構造のうちの一方は突出部であり、前記第１の構造及び前記第２の構造のうちの他方は孔又は凹部である、請求項７に記載のブラケット装置。
【発明の詳細な説明】
【技術分野】
【０００１】
本発明はブラケット装置に関し、より具体的にはスライドレール及びラックシステムに適合されたブラケット装置に関する。
【背景技術】
【０００２】
図１に示すように、従来、保持物体１００はラックシステムにおけるスライドレール１０２又はスライドレールアセンブリによってラック１０４に取り付けられる。スライドレール１０２はブラケット装置１０６を備え、ブラケット装置１０６はスライドレール１０２をラック１０４に取り付けるように構成されている。
【０００３】
さらに、ブラケット装置１０６はブラケット１０８及び締結部材１１０を含み、締結部材１１０はシャフト部材１１２によってブラケット１０８に枢結され、締結部材１１０はブラケット１０８に対してロック位置Ｐに枢動できる。締結部材１１０がロック位置Ｐに位置している場合、締結部材１１０の第１の係合部１１４は、保持物体１００が所定の位置で維持されるように保持物体１００の第２の係合部１１６と係合する。
【０００４】
しかしながら、締結部材１１０は、ブラケット１０８の枢結孔１１８を通って配置されるシャフト部材１１２によってブラケット１０８に枢結されている。実際の適用では、枢結孔１１８の孔の大きさは、締結部材１１０がシャフト部材１１２を通じてブラケット１０８に対して方向Ｄに沿って動くことができるようにという特定の目的のためにシャフト部材１１２の直径よりも大きくなっている。
【先行技術文献】
【特許文献】
【０００５】
【特許文献１】米国特許第９６８１５７３号明細書
【特許文献２】米国特許第９３７０１２０号明細書
【特許文献３】米国特許第９２３７８０８号明細書
【特許文献４】米国特許第８７７０５２８号明細書
【特許文献５】米国特許第８３７１４５４号明細書
【特許文献６】米国特許第７３５７３６２号明細書
【発明の概要】
【発明が解決しようとする課題】
【０００６】
そのため、保持物体１００の第２の係合部１１６が第１の係合部１１４と係合している場合、図２に示すように締結部材１１０に偶然加えられた外力Ｆによって締結部材１１０は傾斜するか又は上下に振動する。その結果、保持物体１００の第２の係合部１１６は締結部材１１０の第１の係合部１１４と係合することができなくなる。あるいは、前述の問題は、シャフト部材１１２とブラケット１０８の枢結孔１１８との間の許容差によって生じる。
【０００７】
そのため、信頼性の高いブラケット装置をどのように開発するかが課題となっている。
【課題を解決するための手段】
【０００８】
本発明は、締結部材が所定の位置で維持されるよう締結部材の安定性を高める能力を有するブラケット装置を提供する。
【０００９】
本発明の一実施形態によれば、スライドレールをラックに取り付けるように適合されたブラケット装置を開示する。当該ブラケット装置はブラケット及び締結部材（fastening  member）を含む。ブラケットはスライドレールに連結されるとともにスライドレールをラックに取り付けるように構成されている。締結部材はシャフト部材によってブラケットに枢結されるとともにラックをロック位置でロックするように構成されている。ブラケットは少なくとも１つの突出ラグを含む。少なくとも１つの突出ラグはガイド部を有し、ガイド部はスライドレールの長さ方向と同一の方向に延在する。締結部材はガイド部の一部を通って配置されるシャフト部材によってガイド部に取り付けられる。ブラケットは第１の構造を含み、締結部材は第２の構造を含む。締結部材がロック位置に位置している場合、第２の構造は第１の構造と協働して締結部材がシャフト部材の軸方向に沿って動くのを防止するように構成されている。
【００１０】
本発明の別の実施形態によれば、ブラケット装置はブラケット及び締結部材を含む。ブラケットは側壁及び該側壁に隣接する少なくとも１つの取り付け部材を含む。締結部材はシャフト部材によってブラケットに枢結される。締結部材が所定の位置に位置している場合、締結部材の締結部（fastening  portion）は少なくとも１つの取り付け部材に隣接する。締結部材が所定の位置に位置していない場合、締結部材の締結部は少なくとも１つの取り付け部材から離れている。ブラケットは第１の構造を含み、締結部材は第２の構造を含む。締結部材が所定の位置に位置している場合、第２の構造は第１の構造と協働して締結部材がシャフト部材の軸方向に沿って動くのを防止するように構成されている。
本発明の別の実施形態によれば、ブラケット装置はブラケット及び締結部材を含む。締結部材はシャフト部材によってブラケットに枢結される。ブラケットは第１の構造を含み、締結部材は第２の構造を含む。締結部材がロック位置に位置している場合、第２の構造は第１の構造と協働して締結部材がブラケットに対して傾斜するのを防止する。
【００１１】
様々な図面に図示する下記の好ましい実施形態の詳細な説明を読み終えた後、本発明の上記の目的及び他の目的が当業者に間違いなく明らかになる。
【図面の簡単な説明】
【００１２】
【図１】図１は、ラックに適合されるとともに保持物体と係合した先行技術におけるスライドレールのブラケット装置を示す図である。
【図２】図２は、ラックに適合されるとともに保持物体との係合が外れた先行技術におけるスライドレールのブラケット装置を示す図である。
【図３】図３は、本発明の第１の実施形態に係るスライドレール及びブラケット装置によってラックに取り付けられた保持物体を示す概略図である。
【図４】図４は、本発明の第１の実施形態に係るブラケット装置の分解図である。
【図５】図５は、本発明の第１の実施形態に係るロック状態にあるブラケット装置の締結部の図である。
【図６】図６は、本発明の第１の実施形態に係る非ロック状態にあるブラケット装置の締結部の図である。
【図７】図７は、本発明の第１の実施形態に係るラックにおいて実施されたスライドレールのブラケット装置の図である。
【図８】図８は、本発明の第２の実施形態に係るブラケット装置の図である。
【図９】図９は、図８の領域Ａを示す拡大図である。
【図１０】図１０は、本発明の第３の実施形態に係るブラケット装置の図である。
【発明を実施するための形態】
【００１３】
図３に示すように、保持物体２０はスライドレール２２（又はスライドレールアセンブリ）によってラック２４に取り付けられている。本発明では、保持物体２０は電子機器又はシャーシであり得る。以下では、保持物体２０は一例として第１の部分２０ａ及び第２の部分２０ｂを含み、第１の部分２０ａの幅は第２の部分２０ｂの幅よりも大きい。
【００１４】
さらに、各スライドレール２２はブラケット装置２６の取り付け部材２８によってラック２４の第１のポスト２４ａに取り付けられ、別のブラケット装置３０によってラック２４の第２のポスト２４ｂに取り付けられている。
【００１５】
図４及び図５に示すように、ブラケット装置２６はブラケット３２及び締結部材３４を含む。締結部材３４はブラケット３２に枢結される。
【００１６】
ブラケット３２はスライドレール２２に連結される。例えば、ブラケット３２はリベット留め又は溶接によってスライドレール２２に固定接続される。実際には、ブラケット３２は側壁３６及び少なくとも１つの取り付け部材２８を含む。少なくとも1つの取り付け部材２８は側壁３６に隣接する。ブラケット３２は端壁４０をさらに含むことが好ましい。端壁４０は側壁３６に実質的に垂直に接続され、少なくとも１つの取り付け部材２８は端壁４０に配置される。
【００１７】
本発明の第１の実施形態では、ブラケット３２は第１の構造４２を含み、締結部材３４は第２の構造４４を含む。第１の構造４２は２つの突出部４２ａ、４２ｂを含む。２つの突出部４２ａ、４２ｂは側壁３６から横方向に突出し、第２の構造４４は締結部材３４の延長壁である。第２の構造４４は２つの突出部４２ａ、４２ｂの間に配置される。ブラケット３２の側壁３６は開口Ｈを有し、２つの突出部４２ａ、４２ｂは開口Ｈの上側及び下側にそれぞれ配置されることが好ましい。他方、第２の構造４４は開口Ｈに対応して位置する。
【００１８】
ブラケット３２は少なくとも１つの突出ラグ４６をさらに含むことが好ましい。少なくとも１つの突出ラグ４６は側壁３６に配置され、少なくとも１つの突出ラグ４６はガイド部４８を有する。ガイド部４８は側壁３６（又はスライドレール２２）の長さ方向と同じ方向に延在する。以下では、ガイド部４８は一例として長手方向に延在する細長い孔である。他方、締結部材３４はブラケット３２に枢結される。本発明では、締結部材３４はガイド部４８の一部を通って配置されるシャフト部材５０によってガイド部４８に枢結される。例えば、ガイド部４８のサイズは、締結部材３４がシャフト部材５０によってブラケット３２に対して枢動できるだけでなく、締結部材３４がブラケット３２の側壁３６に対してガイド部４８に沿って動くことができるようにするためにシャフト部材５０の直径よりも僅かに大きくなっている。
【００１９】
さらに、締結部材３４は少なくとも接続部５２、締結部５４及び係合部５６を含む。少なくとも１つの接続部５２は、シャフト部材５０が少なくとも１つの接続部５２及び少なくとも１つの突出ラグ４６を通じて配置されるように第２の構造４４と締結部５４との間に配置されている。係合部５６は締結部５４に隣接している。例えば、係合部５６はフックであり、係合部５６は締結部５４に接続されるとともに締結部５４の前端に隣接して配置される。係合部５６は、スライドレール２２に取り付けられる保持物体（又は対象物体ともいう）２０の他方の係合部５８と係合するように構成されている。ブラケット装置２６は弾性部材６０をさらに含むことが好ましい。弾性部材６０は締結部材３４に弾性力を提供するように構成されている。
【００２０】
図５及び図６に示すように、締結部材３４は枢動方向Ｒに沿ってロック位置Ｐ１（即ち所定の位置）から非ロック位置（即ち別の位置）に、あるいはロック位置Ｐ２からロック位置Ｐ１に動かすことができる。締結部材３４は、弾性部材６０によって提供される弾性力によってロック位置Ｐ１での維持が強制されることが好ましい。
【００２１】
締結部材３４がロック位置Ｐ１にある場合、締結部材３４の締結部５４は図５に示すように少なくとも１つの取り付け部材２８に隣接する。締結部材３４がロック位置Ｐ１にない場合、例えば締結部材３４が非ロック位置Ｐ２にある場合、締結部材３４の締結部５４は図６に示すように少なくとも１つの取り付け部材２８から離れている。
【００２２】
図７に示すように、ブラケット３２の少なくとも１つの取り付け部材２８によってスライドレール２２がラック２４の第１のポスト２４ａに取り付けられ、締結部材３４がロック位置Ｐ１にある場合、締結部材３４の締結部５４が第１のポスト２４ａをロックするために用いられ、締結部材３４の係合部５６が保持物体２０の他方の係合部５８と係合するのに用いられている。保持物体２０は一例としてスライドレール２２を通じて引っ込め位置Ｌにある。
【００２３】
実際に、締結部材３４がロック位置にある場合、第２の構造４４は締結部材３４がシャフト部材５０の軸方向Ｘに沿って動くのを防止するために第１の構造４２と協働する。即ち、第２の構造４４及び第１の構造４２は締結部材３４が側壁３６又はスライドレール２２の長手方向に対する高さ方向に沿って動くのを防止することができる。
【００２４】
例えば、締結部材３４がロック位置Ｐ１にある場合に締結部材３４に対して外力Ｆ１又はＦ２が偶然に加えられても、第２の構造４４が２つの突出部４２ａ、４２ｂの間で当接することで締結部材３４が上方又は下方に動くのを防止できる。即ち、第２の構造４４と協働する第１の構造４２の２つの突出部４２ａ、４２ｂは締結部材３４が上方に、下方に又はブラケット３２の側壁３６に対して傾斜方向に沿って動くのを防止することができる。
【００２５】
要約すると、締結部材３４がロック位置Ｐ１にある場合、締結部材３４の係合部５６が保持物体２０の他方の係合部５８と係合するのを上記の構成が確実する。上記の構成の利点の１つは締結部材３４が保持物体２０から外れるのを防止する点である。
【００２６】
図７に示すように、ブラケット３２の第１の構造４２の２つの突出部４２ａ、４２ｂの間に第１の幅Ｗ１が定義され、ブラケット３２の長手方向に対する高さ方向に沿って締結部材３４の第２の構造４４の第２の幅Ｗ２が定義され、第２の幅Ｗ２は第１の幅Ｗ１と実質的に同一である。その結果、第２の構造４４は第１の構造４２の２つの突出部４２ａ、４２ｂの間で拘束され、第１の構造４２の２つの突出部４２ａ、４２ｂは、第２の構造４４がブラケット３２に対して上方に、下方に又は傾斜方向に沿って動くのを防止できる。
【００２７】
図８及び図９に示すように、第２の実施形態におけるブラケット装置２００と第１の実施形態におけるブラケット装置の主な違いは、第１の構造及び第２の構造の構成の点である。
【００２８】
ブラケット装置２００の第１の構造２０２及び第２の構造２０４は突出部及び孔の組み合わせである。実際に、ブラケット２０６は第１の構造２０２を含む。例えば、第１の構造２０２は一例として端壁２０８に隣接する突出部である。他方、締結部材２１０は第２の構造２０４を含み、第２の構造２０４は一例として孔である。孔は突出部が孔の内壁によって制限されるように突出部を収容するためのものである。このように、第１の構造２０２（即ち、突出部）及び第２の構造２０４（即ち、孔）の組み合わせは、締結部材２１０がブラケット２０６に対して上方に、下方に又は傾斜方向に沿って動くのを防止することができる。代替的な実施形態では、第１の構造２０２は孔であり、第２の構造２０４は突出部であり得る。
【００２９】
要約すると、締結部材２１０がロック位置Ｐ１にある場合、締結部材２１０の締結部２１２が保持物体２０の他方の係合部５８と係合するのを上記の構成が確実にする。
【００３０】
図９に示すように、ブラケット２０６の長手方向に対する高さ方向に沿って第１の幅Ｗ１がブラケット２０６の第１の構造２０２によって定義され、高さ方向に沿って第２の幅Ｗ２が締結部材２１０の第２の構造２０４によって定義され、第２の幅Ｗ２は第１の幅Ｗ１と実質的に同一である。この結果、第２の構造２０４（即ち、孔）は第１の構造２０２（即ち、突出部）を収容でき、第２の構造２０４（即ち、孔）は第１の構造２０２（即ち、突出部）がブラケット２０６に対して上方に、下方に又は傾斜方向に沿って動くのを防止することができる。
【００３１】
図１０に示すように、第３の実施形態におけるブラケット装置３００と第２の実施形態におけるブラケット装置との主な違いは第１の構造及び第２の構造の構成の点である。
【００３２】
ブラケット装置３００の第１の構造３０２及び第２の構造３０４は突出部及び孔の組み合わせである。実際に、ブラケット３０６は第１の構造３０２を含む。第１の構造３０２は一例としてブラケット３０６の側壁３０８に配置された孔である。他方、締結部材３１０は第２の構造３０４を含む。第２の構造３０４は一例として突出部であり、突出部が前記孔の内壁によって制限されるように前記孔に挿入されるように構成されている。そのため、第１の構造３０２（即ち、孔）及び第２の構造３０４（即ち、突出部）の組み合わせは締結部材３１０がブラケット３０６に対して上方に、下方に又は傾斜方向に沿って動くのを防止できる。代替的な実施形態では、第１の構造３０２は突出部であり、第２の構造３０４は孔であり得る。
【００３３】
要約すると、締結部材３１０がロック位置Ｐ１にある場合、締結部材３１０の係合部３１２が保持物体２０の他方の係合部５８と係合するのを上記の構成が確実にする。
【００３４】
図１０に示すように、ブラケット３０６の第１の構造３０２（即ち、孔）の数は２であり、２つの孔（即ち、第１の構造３０２）の間に第１の幅Ｗ１が定義されている。第２の構造３０４（即ち、突出部）の数は２つであり、２つの突出部（即ち、第２の構造３０４）の間に第２の幅Ｗ２が定義されている。第２の幅Ｗ２は第１の幅Ｗ１と実質的に同一である。その結果、第２の構造３０４（即ち、突出部）は第１の構造３０２（即ち、孔）とそれぞれ係合でき、第１の構造３０２（即ち、孔）は第２の構造３０４（即ち、突出部）がブラケット３０６に対して上方に、下方に又は傾斜方向に動くのを防止できる。
【００３５】
第２の実施形態及び第３の実施形態に示すように、第１の構造及び第２の構造は突出部及び凹部の組み合わせでよく、本願ではそれに関連する説明は簡潔性のために省略する。
【００３６】
要約すると、本発明のブラケット装置は、第２の構造及び第１の構造は協働して締結部材がシャフト部材の軸方向に沿って動くのを防止するように構成されているという利点を有する。
【００３７】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３８】
２０  保持物体、
２２  スライドレール
２４  ラック
２６、３０、２００、３００  ブラケット装置
２８  取り付け部材
３２、２０６、３０６  ブラケット
３４、２１０、３１０  締結部材
３６  側壁
４０  端壁
４２、２０２、３０２  第１の構造
４４、２０４、３０４  第２の構造
４６  突出ラグ
４８  ガイド部
５０  シャフト部材
５２  接続部
５４  締結部
５６  係合部
５８  係合部
６０  弾性部材
【図１】
2019037747.tif 000003
【図２】
2019037747.tif 000004
【図３】
2019037747.tif 000005
【図４】
2019037747.tif 000006
【図５】
2019037747.tif 000007
【図６】
2019037747.tif 000008
【図７】
2019037747.tif 000009
【図８】
2019037747.tif 000010
【図９】
2019037747.tif 000011
【図１０】
2019037747.tif 000012